(57)【要約】【課題】用紙前処理装置の空間部に用紙後処理装置や用紙中継装置が着脱可能に設置される構成において、用紙前処理装置から用紙後処理装置へ、または用紙前処理装置と用紙後処理装置間に介在する用紙中継装置への用紙の搬送が確実に行われるようにする。【解決手段】用紙前処理装置としての画像形成装置の空間部Ｄに、用紙後処理装置としてのパンチユニットＰと用紙反転ユニットＲとステープル部を有する用紙後処理装置Ｆを装着すると、パンチユニットＰに設けた突起部材２０が切換手段Ｔの作用部ｔ１ａを押し込み、切換手段Ｔの切換爪部材ｔ１を縦搬送路の分岐路Ｍから退避させ、用紙Ｓが常に反転ローラ対６に案内される方向に用紙搬送路が自動的に切り換わり、これによりパンチユニットＰの内部へ用紙受入部Ｐａから用紙が搬送される。【選択図】図１
2010072041.tif 000002
【特許請求の範囲】
【請求項１】
用紙前処理部と、該用紙前処理部からの処理済の用紙が排紙される排紙部と、前記排紙部に対して用紙を搬送する少なくとも２つの用紙搬送路を構成する搬送手段を備え、前記排紙部として装置本体内に空間部を設置してなる用紙処理装置、
および前記用紙前処理装置の前記空間部に着脱可能に設置される用紙後処理装置からなる用紙処理システムにおいて、
前記用紙前処理装置に設けられて使用される前記用紙搬送路をいずれかに切り換える切換手段と、
前記用紙後処理装置に設けられて前記用紙前処理装置の前記用紙搬送路のいずれか一つと連結する用紙受入部と、
前記用紙後処理装置に設けられて、該用紙後処理装置が前記空間部に装着されたとき前記切換手段を作動させ、前記用紙後処理装置の前記用紙受入部に連結する前記用紙搬送路を使用可能状態にする作動手段とを備えたことを特徴とする用紙処理システム。
【請求項２】
用紙前処理部と、該用紙前処理部からの処理済の用紙が排紙される排紙部と、前記排紙部に対して用紙を搬送する少なくとも２つの用紙搬送路を構成する搬送手段を備え、前記排紙部として装置本体内に空間部を設置してなる用紙処理装置、
および前記用紙前処理装置の前記空間部に着脱可能に設置される用紙中継装置からなる用紙処理システムにおいて、
前記用紙前処理装置に設けられて使用される前記搬送搬送路をいずれかに切り換える切換手段と、
前記用紙中継装置に設けられて前記用紙前処理装置の前記用紙搬送路のいずれか一つと連結する用紙受入部と、
前記用紙中継装置に設けられて、該用紙中継装置が前記空間部に装着されたとき前記切換手段を作動させ、前記用紙中継装置の前記用紙受入部に連結する前記用紙搬送路を使用可能状態にする作動手段とを備えたことを特徴とする用紙処理システム。
【請求項３】
前記用紙前処理装置が画像形成装置であることを特徴とする請求項１または２記載の用紙処理システム。
【請求項４】
前記用紙後処理装置が用紙パンチ処理装置または用紙綴じ装置または用紙仕分け装置のいずれかであることを特徴とする請求項１記載の用紙処理システム。
【請求項５】
前記用紙中継装置が前記用紙前処理装置と前記用紙後処理装置とを連結する構成のものであることを特徴とする請求項２〜４いずれか１項記載の用紙処理システム。
【請求項６】
前記切換手段を前記用紙搬送路における分岐路に対して出没可能かつ回動可能に設けたことを特徴とする請求項１記載の用紙処理システム。
【請求項７】
前記作動手段が前記切換手段を動作させるため装置本体側部に突設した突起部材であることを特徴とする請求項１記載の用紙処理システム。
【発明の詳細な説明】
【技術分野】
【０００１】
本発明は、排紙部として装置本体内に空間部を設置してなる用紙処理装置と、前記空間部に着脱可能に設置される用紙後処理装置あるいは用紙中継装置などからなる用紙処理システムに関するものである。
【背景技術】
【０００２】
近年の画像形成システムにおいては、画像形成後の用紙に対してパンチ，綴じ，仕分けを行う用紙後処理の要求が高まっている。しかしながら、このような処理を行う用紙後処理装置は、用紙が装置本体の側面から排出されるタイプの画像形成装置に対して、画像形成装置の外側の側面に連結される構成になっており、このことが画像形成システムの設置スペースを大きくする原因となっていた。
【０００３】
これに対し、画像形成装置の設置面積内部（装置本体内）に空間部を有し、この空間部に用紙が排出されるタイプの画像形成装置にあっては、空間部に各種の用紙後処理装置が装着されるものがある（特許文献１，２参照）。
【０００４】
また、画像形成装置内には、用紙の片面あるいは両面に画像形成するために複数の搬送手段を備えており、処理モードに応じて使用される搬送手段を適宜切り換えるための切換手段が備えられている。
【０００５】
以下、空間部に各種の用紙後処理装置が装着可能で、かつ両面画像形成が可能な構成の従来の画像形成装置について説明する。
【０００６】
図４は従来の画像形成装置の外観構成を示す正面図であって、本画像形成装置は、給紙部Ａと画像形成部Ｂと画像読取部Ｃとから構成されており、画像読取部Ｃの下部に、画像形成部Ｂにて画像形成処理を受けた用紙が排紙・収納される空間部Ｄが設けられ、該空間部Ｄの下部に用紙が順次排紙されて積載される排紙部Ｄ１が設置されている。
【０００７】
図５は図４における画像形成装置の用紙搬送路の内部構成と動作についての説明図であって、給紙部Ａに積載されている用紙Ｓを搬送する第１の用紙搬送路を構成する搬送手段である搬送ローラ対１，２と、第２の用紙搬送路（反転経路）を構成する搬送ローラ対５，７，８，９と、用紙に画像形成する画像形成部Ｂの画像転写部３と、空間部Ｄの排紙部Ｄ１上へ用紙を排出する排紙ローラ対４と、用紙に両面画像形成を行うときに用紙を反転させるため正逆回転する反転ローラ対６と、装置本体に突出するように着脱可能に装着された排紙トレイＥと、排紙トレイＥに用紙を排紙する排紙ローラ１０対と、使用される用紙搬送路の切換を行う切換手段であって、各分岐路に設けられた切換爪部材ｔ１〜ｔ３とから構成されている。
【０００８】
図５の装置において用紙の片面に画像形成するときの動作を図６（ａ），（ｂ）を参照して説明する。
【０００９】
先ず、外部もしくは画像読取部Ｃから画像情報を取得して画像形成部Ｂにて画像情報処理を行う。そして、図６（ａ）に示すように、給紙部Ａから用紙Ｓを第１の用紙搬送路の搬送ローラ対１，２により画像形成部Ｂの画像転写部３へ搬送して画像形成処理を行う。その後、図６（ｂ）に示すように、片面に画像が形成された用紙Ｓ１は、切換爪部材ｔ１に案内されて排紙経路の排紙ローラ対４により、空間部Ｄの排紙部Ｄ１上へ排出される。
【００１０】
次に、用紙の両面に画像形成するときの動作を図７（ａ）〜（ｅ）を参照して説明する。
【００１１】
図７（ａ）に示すように、給紙部Ａから搬送されてきた用紙Ｓ１に画像形成部Ｂの画像転写部３にて画像形成し、その後、用紙Ｓ１を切換爪部材ｔ１によって縦搬送路へ送り、図７（ｂ）に示すように、搬送ローラ対５と切換爪部材ｔ２との搬送ガイドによって反転経路へ搬送する。用紙Ｓは反転ローラ対６にて搬送され続けるが、図７（ｃ）に示すように、用紙後端が切換爪部材ｔ２を通過すると、切換爪部材ｔ２が切り換わり、図７（ｄ）に示すように、反転ローラ対６が逆転して用紙Ｓ１をスイッチバックして右搬送路に搬送し始める。その後、切換手爪部材ｔ３にて縦反転経路へ搬送し、そのまま用紙Ｓ１を搬送ローラ対７，８，９で搬送し続けて再び搬送ローラ対２を経て、図７（ｅ）に示すように、画像転写部３にて用紙他面に画像形成を行う。その後、用紙Ｓ１は切換爪部材ｔ１により排紙経路に送られ、排紙ローラ対４にて空間部Ｄの排紙部Ｄ１へ排出される。
【００１２】
次に、排紙トレイＥを装着し、該排紙トレイＥ上に用紙を排紙するときの動作を図８（ａ）〜（ｃ）を参照して説明する。
【００１３】
図８（ａ）に示すように、給紙部Ａから搬送されてきた用紙Ｓ１に画像形成部Ｂの画像転写部３にて画像形成し、切換爪部材ｔ１により縦搬送路へ送られ、搬送ローラ対５と切換爪部材ｔ２との搬送ガイドによって反転経路へ一旦搬送される。用紙Ｓ１は、反転ローラ対６にて搬送され続けるが、図８（ｂ）に示すように、用紙後端が切換爪部材ｔ２を通過すると、切換爪部材ｔ２が切り換り、さらに反転ローラ対６が逆転して、用紙Ｓ１をスイッチバックして右搬送路に搬送し始める、そして、図８（ｃ）に示すように、用紙Ｓ１が切換爪部材ｔ３を経て排紙トレイＥの排紙ローラ１０によって、排紙トレイＥ上に画像面を下にした状態で順次積載される。
【００１４】
図９は増設排紙ユニットを装着したときの構成図であって、増設排紙ユニットＵは排紙ローラ対１３と増設積載トレイＤ２を備えており、増設積載トレイＤ２は、画像形成装置の空間部Ｄにおける反転ローラ対６の用紙搬送方向下流側に増設可能になっている。
【００１５】
これにより両面印刷時、排紙トレイＥへの排出時に用紙を反転する際には、反転ローラ対６と排紙ローラ対１３が同一動作をして、用紙Ｓを増設積載トレイＤ２上で受けることによって用紙反転が可能となる。また、排紙先を増設排紙ユニットＵに設定するとすることにより、通常の排紙先である排紙部Ｄ１とは別の排紙先として増設積載トレイＤ２を設定して使用することが可能となる。
【００１６】
画像形成装置に後処理装置を装着する場合について、図１０（ａ）〜（ｄ）を参照して説明する。
【００１７】
図１０（ａ）に示す画像形成装置における空間部Ｄの排紙部Ｄ１は取り外し可能であって、空間部Ｄの空間を最大限に確保することができる。そして、該空間部Ｄには用紙に後処理を行う用紙後処理装置を装着することができる。排紙部Ｄ１は画像形成部Ｂの内部を覆うカバーの機能も持ち合わせているため、排紙部Ｄ１を取り外した後は、図１０（ｂ）に示すように仕切り板Ｄ３により覆うことにより、画像形成部Ｂの内部を保護する。
【００１８】
ここで用紙後処理装置を空間部Ｄに装着するためには、図１０（ｃ）に示すように、用紙反転時に画像形成装置の反転ローラ対６から排出される用紙を受け入れてガイドする用紙反転ユニットＲを装着し、空間部Ｄが後処理装置で塞がれても用紙の反転動作を妨げないようにする。そして、図１０（ｄ）に示すように、用紙後処理装置Ｆを用紙反転ユニットＲの用紙搬送方向下流側に装着する。
【００１９】
用紙反転ユニットＲは２つの搬送路を具備し、それぞれの搬送路への切り換えは切換爪部材ｔ４が行う。また、搬送路には搬送手段である搬送ローラ対１１、１２を設けて用紙の搬送をサポートする。
【００２０】
また、用紙後処理装置Ｆは、搬送路，搬送手段，整合手段，綴じ手段，積載手段などを具備しており、画像形成された用紙に対して後処理を行うことができる構成のものである。
【００２１】
前記用紙後処理装置Ｆが装着されて用紙が後処理されるときの動作について、以下説明する。
【００２２】
先ず、片面画像形成された用紙が後処理されるときの動作について、図１１（ａ）〜（ｃ）を参照して説明する。
【００２３】
図１１（ａ）に示すように、画像形成部Ｂの画像転写部３にて画像形成された用紙Ｓは、切換爪部材ｔ１，ｔ２によって、反転経路へガイドされながら搬送ローラ対５と反転ローラ対６によって搬送され、そのまま反転せずに用紙反転ユニットＲ内へ搬送される。次に用紙Ｓは、図１１（ｂ）に示すように、用紙反転ユニットＲ内の切換爪部材ｔ４と搬送ローラ対１１によって用紙後処理装置Ｆへ搬送され、図１１（ｃ）に示すように、後処理をされた後に、積載トレイ上へ順次積載される。
【００２４】
両面印刷された用紙が後処理されるときの動作について、図１２（ａ）〜（ｅ）を参照して説明する。
【００２５】
図１２（ａ）に示すように、画像転写部３にて一面に画像形成された用紙Ｓ１は、切換爪部材ｔ１，ｔ２によって、反転経路へガイドされながら搬送ローラ対５と反転ローラ対６によって搬送され、図１２（ｂ）に示すように、用紙反転ユニットＲ内へ搬送される。このとき、用紙Ｓ１は、用紙反転ユニットＲの切換爪部材ｔ４によって、用紙後処理装置Ｆへの搬送路とは別の反転経路内へ搬送される。そして用紙後端が切換爪部材ｔ２を通過すると、切換爪部材ｔ２が切り換わり、さらに反転ローラ対６が逆転し、図１２（ｃ）に示すように、用紙Ｓ１をスイッチバックして画像形成部Ｂ内の右搬送路，縦反転経路へ用紙Ｓ１を搬送する。その後、図１２（ｄ）に示すように、画像転写部３にて用紙Ｓ１の他面への画像形成を行い、図１２（ｅ）に示すように、再び用紙反転ユニットＲに搬送され、切換爪部材ｔ４が切り換わって、用紙Ｓ１を用紙後処理装置Ｆ内へ搬送する。
【００２６】
次に、排紙トレイＥを装着したときの排紙動作について図１２（ａ），（ｂ），（ｆ）を参照して説明する。
【００２７】
前記両面画像形成時と同じく、図１２（ａ），（ｂ）に示すように、画像形成部Ｂの画像転写部３にて画像形成された用紙Ｓ１は、切換爪部材ｔ１，搬送ローラ対５，切換爪部材ｔ２を経て反転ローラ対６によって用紙反転ユニットＲ内の反転経路内へ搬送される。
【００２８】
そして用紙後端が切換爪部材ｔ２を通過すると、切換爪部材ｔ２が切り換わり、さらに反転ローラ対６が逆転して、用紙Ｓ１は、図１２（ｆ）に示すように、スイッチバックして画像形成部Ｂ内の右搬送路へ搬送され、切換爪部材ｔ３を経て排紙トレイＥの排紙ローラ１０によって、排紙トレイＥ上に画像面を下にした状態で順次積載される。
【００２９】
上記のような画像形成装置の空間部（胴内空間）Ｄに用紙後処理装置Ｆを装着可能な構成にすると、用紙後処理装置を含めた画像形成システムは、画像形成装置単体と同程度の設置面積でよくなり、用紙後処理装置が画像形成装置の外側に連結される画像形成システムに比して大幅な省スペースを達成することが可能となる。
【特許文献１】特開２００６−２０６２７１号公報
【特許文献２】特許第３８９８３５８号公報
【発明の開示】
【発明が解決しようとする課題】
【００３０】
しかしながら、前記従来技術において、通常、画像形成装置側には少なくとも２つの用紙搬送路を構成する搬送手段が備えられており、このような構成の画像形成装置における胴内空間に用紙後処理装置が装着されると、画像形成装置側の搬送手段の排紙口が用紙後処理装置の装着によって塞がれてしまうことがある。このため、用紙が用紙後処理装置を経由して搬送される場合には、用紙後処理装置への用紙受け渡しを確実に行うため、用紙後処理装置の用紙受入部に対する用紙搬送路の切り換えが確実に行われなければならない。
【００３１】
従来では前記用紙搬送路の切り換えは、作業者による手作業，設定操作により切換爪部材などの切換手段を操作させることにより行われていた。このため、時として切換ミスを生じて用紙搬送上のトラブルを発生させていた。
【００３２】
本発明の目的は、前記従来技術の課題を解決し、用紙前処理装置の空間部に用紙後処理装置や用紙中継装置が着脱可能に設置される構成において、簡易な構成により、用紙前処理装置から用紙後処理装置へ、または用紙前処理装置と用紙後処理装置間に介在する用紙中継装置への用紙の搬送が確実に行われるようにした用紙処理システムを提供することにある。
【課題を解決するための手段】
【００３３】
前記目的を達成するため、請求項１に記載の発明は、用紙前処理部と、該用紙前処理部からの処理済の用紙が排紙される排紙部と、前記排紙部に対して用紙を搬送する少なくとも２つの用紙搬送路を構成する搬送手段を備え、前記排紙部として装置本体内に空間部を設置してなる用紙処理装置、および前記用紙前処理装置の前記空間部に着脱可能に設置される用紙後処理装置からなる用紙処理システムにおいて、前記用紙前処理装置に設けられて使用される前記用紙搬送路をいずれかに切り換える切換手段と、前記用紙後処理装置に設けられて前記用紙前処理装置の前記用紙搬送路のいずれか一つと連結する用紙受入部と、前記用紙後処理装置に設けられて、該用紙後処理装置が前記空間部に装着されたとき前記切換手段を作動させ、前記用紙後処理装置の前記用紙受入部に連結する前記用紙搬送路を使用可能状態にする作動手段とを備えたことを特徴とし、この構成によって、用紙後処理装置が装着されている場合は、用紙前処理装置から自動的に用紙後処理装置への搬送路に切り換わるため、用紙後処理装置の装着あるいは非装着に応じて手動で切り換える必要がなく、切り換えミスをなくし、確実なる切り換えを行うことができる。
【００３４】
請求項２に記載の発明は、用紙前処理部と、該用紙前処理部からの処理済の用紙が排紙される排紙部と、前記排紙部に対して用紙を搬送する少なくとも２つの用紙搬送路を構成する搬送手段を備え、前記排紙部として装置本体内に空間部を設置してなる用紙処理装置、および前記用紙前処理装置の前記空間部に着脱可能に設置される用紙中継装置からなる用紙処理システムにおいて、前記用紙前処理装置に設けられて使用される前記用紙搬送路をいずれかに切り換える切換手段と、前記用紙中継装置に設けられて前記用紙前処理装置の前記用紙搬送路のいずれか一つと連結する用紙受入部と、前記用紙中継装置に設けられて、該用紙中継装置が前記空間部に装着されたとき前記切換手段を作動させ、前記用紙中継装置の前記用紙受入部に連結する前記用紙搬送路を使用可能状態にする作動手段とを備えたことを特徴とし、この構成によって、用紙後処理装置が装着されている場合は、用紙前処理装置から自動的に用紙中継装置を介して用紙後処理装置への搬送路に切り換わるため、用紙後処理装置，用紙中継装置の装着あるいは非装着に応じて手動で切り換える必要がなく、切り換えミスをなくし、確実なる切り換えを行うことができる。
【００３５】
請求項３に記載の発明は、請求項１または２記載の用紙処理システムにおいて、用紙前処理装置が画像形成装置であることを特徴とする。
【００３６】
請求項４に記載の発明は、請求項１記載の用紙処理システムにおいて、用紙後処理装置が用紙パンチ処理装置または用紙綴じ装置または用紙仕分け装置のいずれかであることを特徴とする。
【００３７】
請求項５に記載の発明は、請求項２〜４いずれか１項記載の用紙処理システムにおいて、用紙中継装置が用紙前処理装置と用紙後処理装置とを連結する構成のものであることを特徴とする。
【００３８】
請求項６に記載の発明は、請求項１記載の用紙処理システムにおいて、切換手段を用紙搬送路における分岐路に対して出没可能かつ回動可能に設けたことを特徴とする。
【００３９】
請求項７に記載の発明は、請求項１記載の用紙処理システムにおいて、作動手段が切換手段を動作させるため装置本体側部に突設した突起部材であることを特徴とする。
【発明の効果】
【００４０】
本発明によれば、用紙前処理装置の空間部に用紙後処理装置や用紙中継装置が着脱可能に設置される構成において、前記空間部に用紙後処理装置が装着されている場合は、用紙前処理装置から自動的に用紙後処理装置や用紙中継装置への搬送路に切り換わるため、用紙後処理装置の装着あるいは非装着に応じて手動で切り換える必要がなく、よって、切り換えミスがなくなり、確実なる切り換えを行うことができ、したがって、このような簡易な構成により、用紙前処理装置から用紙後処理装置へ、または用紙前処理装置と用紙後処理装置間に介在する用紙中継装置への用紙の搬送が確実に行われる用紙処理システムが実現する。
【発明を実施するための最良の形態】
【００４１】
以下、本発明の実施の形態を図面を参照して説明する。
【００４２】
図１（ａ），（ｂ）は本発明の用紙処理ユニットの実施形態１の構成および動作について説明するための構成図である。なお、以下の説明において、図４〜図１２にて説明した部材に対応する部材には同一符号を付して、詳しい説明は省略する。
【００４３】
図１（ａ），（ｂ）において、本実施形態は、給紙部Ａに積載されている用紙Ｓを搬送する第１の用紙搬送路を構成する搬送手段である搬送ローラ対１，２と、第２の用紙搬送路（反転経路）を構成する搬送ローラ対５，７，８，９と、用紙に対する画像形成を行う画像形成部Ｂの画像転写部３と、空間部Ｄの排紙部Ｄ１上へ用紙を排出する排紙ローラ対４と、用紙に両面画像形成を行うときに用紙を反転させるため正逆回転し、また用紙を用紙後処理装置方向へ搬送するため正転する反転ローラ対６と、装置本体側方に突出するように着脱可能に装着された排紙トレイＥと、排紙トレイＥに用紙を排紙する排紙ローラ対１０と、使用される用紙搬送路の切換を行う切換手段である切換爪部材ｔ１〜ｔ３とから構成されている。
【００４４】
さらに、切換手段Ｔである切換爪部材ｔ１は、図１（ｂ）に示すように、第１と第２の用紙搬送路の分岐路Ｍに出没可能であるように、他方端部を延出して作動部ｔ１ａとし、かつ中間部を回動可能に軸支した構成にしている。
【００４５】
そして、本実施形態では、図１０（ａ），（ｂ）にて説明したように、画像形成装置における空間部Ｄの排紙部Ｄ１は取り外した状態で、かつ空間部Ｄの底部を仕切り板Ｄ３に覆っている。この状態の空間部Ｄに、本例では、後処理装置として用紙にパンチ処理を行うパンチユニットＰと用紙反転ユニットＲと用紙後処理装置Ｆとが装着される。
【００４６】
前記パンチユニットＰには、作動部ｔ１ａを押圧して切換手段Ｔを回動させる作動部材としての突起部材２０が突設されている。
【００４７】
このため、図１（ｂ）に示すように、パンチユニットＰと用紙反転ユニットＲと用紙後処理装置Ｆとを装着した状態において、パンチユニットＰの突起部材２０が切換手段Ｔの作用部ｔ１ａを押し込み、切換手段Ｔの切換爪部材ｔ１を、縦搬送路の分岐路Ｍから退避させることになり、用紙Ｓが常に反転ローラ対６に案内される方向に用紙搬送路を切り換えた状態に自動的に設定することができる。
【００４８】
したがって、この状態で用紙に対してパンチ処理を行うときには、給紙部Ａから搬送ローラ対１，２により搬送されてきた用紙Ｓに対して画像形成部Ｂの画像転写部３にて画像形成が行われ、その後、用紙Ｓが切換手段Ｔによって縦搬送路へ送られ、搬送ローラ対５を経て切換爪部材ｔ２によって反転経路へ搬送される。ここで反転ローラ対６が正転することにより、用紙Ｓは、パンチユニットＰの用紙受入部Ｐａから内部へと搬送され、パンチ処理が施された後、用紙反転ユニットＲと用紙後処理装置Ｆとにより所定の用紙後処理が実行されることになる。
【００４９】
図２（ａ），（ｂ）は本発明の用紙処理ユニットの実施形態２の構成および動作について説明するための構成図であり、実施形態２では、ステープル処理部などを備えた用紙後処理装置Ｆに、作動部ｔ１ａを押圧して切換爪部材ｔ１を回動させる作動部材としての突起部材２１を突設した構成例のものである。突起部材２１の切換動作については、図２（ｂ）に示すように、実施形態１における突起部材２０と同様であり、用紙が確実に用紙後処理装置Ｆの用紙受入部Ｆから内部へと搬送される。
【００５０】
図３（ａ），（ｂ）は本発明の用紙処理ユニットの実施形態３の構成および動作について説明するための構成図であり、実施形態３では、用紙後処理装置Ｆへ搬送される用紙を中継し、なおかつ反転経路も兼ねる用紙中継装置としての用紙反転ユニットＲに、作動部ｔ１ａを押圧して切換手段Ｔを回動させる作動部材としての突起部材２２を突設した構成例のものである。突起部材２２の切換動作については、図３（ｂ）に示すように、実施形態１における突起部材２０と同様であり、用紙が確実に反転ユニットＲの用紙受入部Ｒａから内部へと搬送される。
【産業上の利用可能性】
【００５１】
本発明は、複写機，ファクシミリ装置，プリンタ、それらの複合機などに設けられている空間部に、用紙パンチ処理装置または用紙綴じ装置または用紙仕分け装置などの用紙後処理装置や、用紙中継装置が着脱可能に設置される用紙処理システムに適用して有効である。
【図面の簡単な説明】
【００５２】
【図１】（ａ），（ｂ）は本発明の用紙処理ユニットの実施形態１の構成および動作について説明するための構成図
【図２】（ａ），（ｂ）は本発明の用紙処理ユニットの実施形態２の構成および動作について説明するための構成図
【図３】（ａ），（ｂ）は本発明の用紙処理ユニットの実施形態３の構成および動作について説明するための構成図
【図４】従来の画像形成装置の外観構成を示す正面図
【図５】図４における従来の画像形成装置の用紙搬送路の概略構成と動作の説明図
【図６】（ａ），（ｂ）は図５の装置において用紙片面に画像形成するとき動作説明図
【図７】（ａ）〜（ｅ）は図５の装置において用紙両面に画像形成するときの動作説明図
【図８】（ａ）〜（ｃ）は図５の装置において排紙トレイ上に用紙を排紙するときの動作説明図
【図９】図５の装置において増設排紙ユニットを装着したときの構成図
【図１０】（ａ）〜（ｄ）は図５の装置において後処理装置を装着する場合の説明図
【図１１】（ａ）〜（ｃ）は図５の装置において片面画像形成された用紙が後処理されるときの動作説明図
【図１２】（ａ）〜（ｅ）は図５の装置において両面印刷された用紙が後処理されるときの動作説明図
【符号の説明】
【００５３】
Ａ  給紙部
Ｂ  画像形成部
Ｄ  空間部
Ｄ１  排紙部
Ｄ３  仕切り板
Ｅ  排紙トレイ
Ｆ  用紙後処理装置
Ｐ  パンチユニット
Ｒ  用紙反転ユニット
Ｆａ，Ｐａ，Ｒａ  用紙受入部
Ｍ  分岐路
Ｔ  切換手段
Ｓ  用紙
１，２  搬送ローラ対
３  画像転写部
４  排紙ローラ対
５，７，８，９  搬送ローラ対
６  反転ローラ対
１０  排紙ローラ対
２０，２１，２２  突起部材
ｔ１〜ｔ３  切換爪部材
ｔ１ａ  作動部
【図１】
2010072041.tif 000003
【図２】
2010072041.tif 000004
【図３】
2010072041.tif 000005
【図４】
2010072041.tif 000006
【図５】
2010072041.tif 000007
【図６】
2010072041.tif 000008
【図７】
2010072041.tif 000009
【図８】
2010072041.tif 000010
【図９】
2010072041.tif 000011
【図１０】
2010072041.tif 000012
【図１１】
2010072041.tif 000013
【図１２】
2010072041.tif 000014